(57)【要約】  本発明は、ボードに平行な差し込み接続部のための２列型のアングルピンコネクタに関する。該アングルピンコネクタは、内側の列（１２）に配置された、差し込み接続部側のアングルピン（８）と、外側の列（１３）に配置されたアングルピン（８）とを２列に有している。これらのアングルピン（８）は、ボード側のろう接端部（６）と、差し込み接続部側の差し込み端部（５）とを有している。さらに当該アングルピンコネクタは、アングルピン（８）を固定するために、ケーシング底部（１４）とケーシングカバー（１５）とを有している。  本発明によるアングルピンコネクタは、差し込み接続部側の列（１２）に配置されたアングルピン（８）のろう接端部（６）が、ケーシングを組み付ける際に湾曲されるケーシング支持舌片（１７）によって、ケーシング底部（１４）とケーシングカバー（１５）との間に位置固定されていることを特徴としている。  本発明により、固有の埋め込み射出成形部を有するアングルコネクタを使用する必要のない、確実な多極の差込接続部が提供される。このようにして構成スペースとコストを削減することができる。
2009502012.tif 000002
【特許請求の範囲】
【請求項１】
ボードに平行な差し込み接続部を形成するための２列型のアングルピンコネクタであって、該アングルピンコネクタは、内側の列（１２）に配置された、差し込み接続部側のアングルピン（８）と、外側の列（１３）に配置されたアングルピン（８）とを有しており、これらのアングルピン（８）は、ボード側のろう接端部（６）と、差し込み接続部側の差し込み端部（５）とを有しており、さらに当該アングルピンコネクタは、アングルピン（８）を固定するためのケーシング底部（１４）とケーシングカバー（１５）とを有している形式のものにおいて、
差し込み接続部側の列（１２）に配置されたアングルピン（８）のろう接端部（６）が、ケーシングを組み付ける際に湾曲されるケーシング支持舌片（１７）によって、ケーシング底部（１４）とケーシングカバー（１５）との間に位置固定されていることを特徴とする、２列型のアングルピンコネクタ。
【請求項２】
アングルピン（８）の差し込み端部（５）がケーシング底部（１４）に配置されており、支持舌片（１７）がケーシングカバー（１５）に配置されている、請求項１記載のアングルピンコネクタ。
【請求項３】
差し込み接続部側のケーシング部分（１４）が、ケーシング組み付けの際に支持舌片（１７）を制御しながら湾曲させるための傾斜滑動面（１８）を有している、請求項１又は２記載のアングルピンコネクタ。
【請求項４】
支持舌片（１７）の端面が、差し込み接続部側のケーシング部分（１４）に設けられた前記滑動面（１８）に対応するように斜めに面取りされている、請求項３記載のアングルピンコネクタ。
【請求項５】
支持舌片側のケーシング部分（１５）が、外側の列（１３）に配置されたアングルピン（８）のろう接端部（６）を位置固定するためのストッパ面（１６）を有している、請求項１から４までのいずれか１項記載のアングルピンコネクタ。
【請求項６】
両ケーシング部分（１４，１５）の少なくとも１つが、上位の構成群の構成部分（１０）又はケーシングによって形成されている、請求項１から５までのいずれか１項記載のアングルピンコネクタ。
【請求項７】
アングルピン（８）が、組み付け条片（９）に配置されて、位置固定されている、請求項１から５までのいずれか１項記載のアングルピンコネクタ。
【発明の詳細な説明】
【技術分野】
【０００１】
本発明は、請求項１の上位概念に記載の形式の、ボードに平行な差し込み接続部を形成するための、電子回路ボードのためのアングルピンコネクタに関する。
【０００２】
冒頭で述べた形式のアングルピンコネクタは典型的に、電子ボードもしくはプリント回路に配置され、ボードの領域に、多極のコネクタを受容するための接続部を提供するために働く。この場合、考慮すべきケースでは、コネクタもしくは、コネクタから出ているケーブルは、例えばスペース的な理由により、ボードの表面に対して平行にアングルピンコネクタから出ている。
【０００３】
アングルピンコネクタの接続ピンは、ボードに配置された導体路に接続するためのろう接端部と、電気的な接続コネクタの差し込みピン若しくはフォーク状コンタクトを受容するための差し込み接続部側の端部とを有している。差し込み接続部側の端部は、アングルピンコネクタにおいて、ろう接端部に対して垂直に配置されていて、接続コネクタ若しくは接続ケーブルは、ボードに対して平行な所望の方向でアングルピンコネクタから出ることができるようになっている。
【０００４】
接続ピン若しくはアングルピンが固有のコネクタケーシングに配置されていて、例えばケーシング材料の射出成形によってケーシング材料に埋め込まれていて、従ってアングルピンがコネクタケーシングによってほぼ不動に解離不能に保持されている公知のアングルピンコネクタの他に、単に１つの細い条片により、アングルピンの所定のピン間隔が維持されている多列のアングルピンコネクタも公知である。
【０００５】
しかしながら最後に記載した特に安価で、かつ省スペースのアングルピンコネクタは、このような接続装置のアングルピンが、差し込み接続部側の端部の軸方向での摺動に対しては不十分であるという欠点を有している。差し込み接続部側の端部のこのような軸方向の摺動を引き起こす力は、特に、所属の電気的接続コネクタの差し込みの際に、または引き抜きの際に伝えられる差し込み力である。この差し込み力が所定の大きさを越えると、簡単な構成の公知のアングルピンコネクタでは、アングルピンの差し込み接続部側の端部がアングルピンコネクタ内にずれてしまうことがある。
【０００６】
過剰に大きなこのような差し込み力は例えば、コンタクトピンまたはフォーク状コンタクトが変形し、汚され、または腐食された場合に生じることがある、またはコネクタが導入時にコンタクトピンに対して正確に平行に動かされず、傾斜して導入された場合に生じる恐れがある。これにより単数又は複数のアングルピンが、コネクタにおける相応の抵抗部分によって、目標位置から押しのけられ、この際に湾曲される。
【０００７】
しかしながらこのような接続ピンの変形は、これにより特に接触問題が生じる恐れがあり、これにより当該変形された接続ピンにおいては所定の電流がもはや確実には保証されないと問題である。個々のアングルピンの変形は、差し込み接続部側の内側のアングルピンが、別の列の同じ高さにある外側の接続ピンと接触するほど大きく変形されると、アングルピンコネクタの領域で短絡さえ引き起こす恐れがある。
【０００８】
多列のアングルピンコネクタでは、差し込み接続部側の列にある接続ピンもしくはそのろう接端部を、簡単かつ効果的に、上記のようなずれに抗して若しくは曲げに抗して保護することはこれまで不可能であった。何故ならば、差し込み接続部側に配置された、即ち内側のピン列は外側のピン列によって隠されているからである。従ってこれまではしばしば、外側のピン列のアングルピンしか支持することができなかったが、そのため、内側のピン列のアングルピンでは依然として、冒頭で述べたような、コネクタの差し込み時の、若しくは場合によっては引き抜き時の曲げの危険の問題が生じていた。
【０００９】
このような背景から本発明の課題は、先行技術の上記欠点を克服することができるアングルピンコネクタを提供することである。特にこのアングルピンコネクタは、固有の射出成形による埋め込みもしくは固有のコネクタケーシングを有さない、特に安価で省スペースのアングルピンコネクタの上記構成を使用した場合であっても、特に確実に構成することができ、従って、差し込み力により引き起こされる接続ピンの軸方向の摺動が確実に排除される。
【００１０】
この課題は、請求項１の特徴を有するアングルピンコネクタにより解決される。有利な構成は従属請求項に記載されている。
【００１１】
本発明によるアングルピンコネクタは、それ自体まず公知のように、ボードに平行な差し込み接続部を提供するために働く。このためにアングルピンコネクタは２列に配置されたＬ字型のアングルピンを有しており、このピンはボード側のろう接端部と、差し込み接続部側の差し込み端部とを有している。この場合２つの列は、差し込み接続部側の内側の列と、外側の列にある。本発明によるアングルピンコネクタはさらに、アングルピンを位置固定するための、分割された１つのケーシングを有しており、このケーシングはケーシング底部とケーシングカバーとを有している。
【００１２】
しかしながら本発明によればアングルピンコネクタは、内側の、即ち差し込み接続部側の列に配置されたアングルピンのろう接端部が、ケーシング組み付けの際に屈曲されるケーシング支持舌片によって、ケーシング底部とケーシングカバーとの間で位置固定されることを特徴としている。
【００１３】
このことは換言すれば、先行技術のものとは異なり、場合によっては外側の列に配置されたアングルピンのろう接端部が、ケーシング組み付けの際に、ケーシング底部とケーシングカバーとの間に挟まれ、ひいては位置固定され得ることを意味している。むしろ、外側の列に配置されたろう接端部にそれぞれ湾曲されて係合し、ひいては、内側の差し込み接続部側の列に配置されたろう接端部に支持されるように当接する本発明によるケーシング支持舌片のおかげで、内側の列に配置されたろう接端部もケーシング底部とケーシングカバーとの間で形状接続的に挟まれ、ひいては摺動若しくは曲げに抗して保護される。
【００１４】
従って本発明により確実かつ堅牢なアングルピンコネクタが提供され、これは固有の射出成形埋め込み若しくは組み込みの際に固有のコネクタケーシングを必要としないので特に有利である。このようにして、高品質かつ高い安全性要求を満たす、構成群又はユニットにおける多極のコネクタ接続部を形成するためのコストを大幅に削減することができる。
【００１５】
この場合、本発明は、内側のピン列に配置されたろう接端部が、支持舌片と他方のケーシング部分との間における確実な位置固定が保証されているならば、支持舌片が構造的にどのように構成されているか、どちらのケーシング部分に支持舌片を配置するかということとは無関係に実現される。
【００１６】
しかしながら本発明の有利な構成によれば、支持舌片がケーシングカバーに配置されており、アングルピンの差し込み端部がケーシング底部に配置若しくは位置固定されている。これにより、まず、アングルピンコネクタを支持するボードも含めてユニットの構成群全体をケーシング底部に配置する若しくは予め組み付けることができる。次いで最後にケーシングカバーが組み付けられ、この場合、ケーシングカバーに配置された支持舌片が、外側のピン列のアングルピンの周りに係合し、このようにして、内側のピン列のアングルピンが、ケーシング底部の相応の当接部に押し付けられ、ひいては位置固定される。
【００１７】
さらに、本発明を実現するためには、確実な再現可能性が保証されているならば、ケーシング支持舌片がどのように、外側の列に配置されたアングルピンのろう接端部の周りに係合し、またはどのようにケーシング支持舌片がケーシング組み付けの際に湾曲されて、内側の列に配置されたアングルピンのろう接端部に当接するかは重要ではない。しかしながら本発明の特に有利な構成によれば、差し込み接続部側のケーシング構成部分、即ち例えばケーシング底部には、傾斜した滑動面が設けられている。この傾斜した滑動面はケーシング組み付けの際に、他方のケーシング構成部分、即ち例えばケーシングカバーに配置された支持舌片の制御された湾曲のために働く。
【００１８】
この場合、有利にはさらに、支持舌片の端面が、差し込み接続部側のケーシング部分の滑動面に対応して同様に傾斜されている。従って支持舌片は、ケーシング底部とケーシングカバーとの接合するときに、例えばケーシング底部に配置された傾斜した滑動面に沿って制御されて滑動し、これによりケーシング底部とケーシングカバーとの接合の際の直線的な運動が、この直線的な運動に対して垂直な、支持舌片の側方運動に変換される。
【００１９】
支持舌片の端面が傾斜されている場合、さらに二重利用が可能である。一方では、ケーシング滑動面に沿った支持舌片の特に良好に制御可能な滑動が行われる。他方では、支持舌片の傾斜された端面により湾曲された状態で、各アングルピンのろう接端部の位置固定のために最適な押圧面が得られる。
【００２０】
本発明の別の有利な構成によれば、支持舌片側のケーシング部分、即ち例えばケーシングカバーが、外側の列に配置されたアングルピンのろう接端部の位置固定のためにストッパ面を有している。このようにして、内側のピン列のアングルピンだけでなく、外側のピン列のアングルピンも、換言すればアングルピンコネクタのピン全てが確実かつ解離不能に、ケーシング半部もしくはケーシング部分間で位置固定される。
【００２１】
本発明は、本発明による支持舌片の配置が転用されるならば、ケーシング部分の大きさや構成形式には関係なく実現することができる。しかしながら本発明の特に有利な構成によれば、両ケーシング部分の少なくとも一方が、有利には両方が、それぞれ、上位の構成群の構成部分又はケーシング構成部分によって形成される。このようなことは、例えば、コネクタ輪郭若しくはブシュ輪郭並びにアングルピンのための収容部を、相応のケーシング構成部分に一体成形する、または射出成形することにより、ユニット又は構成群における多極の差し込み接続部をこのように特に簡単かつ極めて安価に製造することができるので特に有利である。
【００２２】
外側の列に配置されたアングルピンだけでなく、内側の列に位置するアングルピンも、摺動及び曲げに抗して保護されているという本発明による利点は、先行技術とは異なり、ユニットケーシングに一体成形されたこのようなコネクタ輪郭を有するものにおいても完全に維持される。
【００２３】
アングルピンコネクタを簡単に前組み付けするために、アングルピンをさらに、本発明のさらに有利な構成にも記載したように、１つの共通の組み付け条片もしくはスペーサ条片に配置し、位置固定することができる。このような条片は、最終的な組み付け前に、１つのユニットとして、１つのアングルピンコネクタに所属の複数のピンの取り扱いを容易にし、同時に、所定のピン間隔の維持のためにも働く。
【００２４】
以下に本発明を、実施例を示した図面につき詳しく説明する。
【００２５】
図１には、先行技術によるアングルコネクタ１が等尺で示されている。図示の標準的なアングルコネクタ１では、コネクタピン５，６もしくはアングルピンが射出成形によってケーシング材料２に取り囲まれて固定されている。ワイヤハーネスのコネクタを収容するための内側輪郭３を備えたコネクタケーシング２の他に、回路ボード４と、差し込み接続部側の端部５およびボードを貫通するろう接端部６を備えたアングルピンとが示されている。
【００２６】
図１に示したアングルコネクタ１は一列のアングルピンしか有していないが、原則的に、２列に配置されたコンタクトもしくはアングルピンを備えたアングルコネクタも通常、アングルピンをアングルコネクタのケーシング材料に射出成形によって固定することによって形成され、ひいては原則的に図１に示したものに相応する。
【００２７】
図１のアングルコネクタは、全てのコンタクトピンもしくはアングルピンが、射出成形によってケーシング材料２に取り囲まれるように解離不能に位置固定され、この場合特に、差し込み力によって差し込み接続部側の端部５が軸方向に摺動しないよう保護されるという利点を有している。従って、図１に示したこのような形式のアングルコネクタ１は、原則的に、装置若しくはボード４とワイヤハーネスとの間に確実な多極の差し込み接続部を形成するために適している。
【００２８】
しかしながら、既に冒頭で説明したように、このような個々に射出成形されたアングルコネクタ１は比較的高価である。従ってコスト的な理由から、図２に示したようなアングルピン装置７がしばしば使用される。このような形式のアングルピン装置７は、主に、実際のアングルピン８と、アングルピン装置７に所属の複数のピン８を１つのユニットとして取り扱い可能にし、接触間隔を維持するための組み付け条片９とから成っている。図２に示したアングルピン装置７には、図１のアングルコネクタが伴うコストを生じさせる破断部を１つしか有していないという利点がある。さらに、図２に示したアングルピン装置７は、絶対的に最小の構成スペースしか要さない。
【００２９】
図２に示したアングルピン装置７は、例えば、ユニット１０の構成群に、図３にも示したように挿入することができる。図１に示したようなアングルコネクタ１のコネクタケーシング２，３の機能は、図２に示したアングルピン装置７では、相応の切欠１１が担っている。この切欠１１は、構成群またはユニット１０のケーシング構成部分１４に直接、一体成形されている（図３参照）。
【００３０】
しかしながらこの場合、冒頭で述べたような問題が生じる。即ち、内側のコネクタ側の列に（点線１２参照）にあるアングルピン８は、軸方向力Ｆによる軸方向の摺動に抗して支持されないという問題が生じる。このような軸方向力Ｆ若しくはこれにより引き起こされる、アングルピン８の差し込み端部５の軸方向の摺動は特に、ここに所属のワイヤハーネスコネクタ（図示せず）がアングルピン装置７に差し込まれる際に特に生じる恐れがあるが、ワイヤハーネスもしくはコネクタの引き抜きの際にも生じることがある。
【００３１】
具体的に図２ではアングルピン８の１つが軸方向力Ｆによって変形されて示されている。さらに変形されると、異なる列１２，１３に配置されたアングルピン８の間が短絡する恐れもあり、このことは、差し込み端部の軸方向の摺動により生じるコンタクトの故障と同様に、ユニットの機能障害を引き起こす恐れがあることがわかる。
【００３２】
本発明によれば、内側の列１２に配置されたアングルピン８の支持の問題は、図３〜図５に示されたように解決される。図３には、まず、例えば自動車のユニット１０のための２つの部分から成るケーシング１４，１５が示されている。さらに、ケーシング１４，１５の他に、内部にろう接されたアングルピン装置７を備えた回路ボード４が示されている。回路ボード４とアングルピン装置７とは、図２に示した構成部分とほぼ一致する。
【００３３】
図３にはさらに、ワイヤハーネスのコネクタを収容するためのブシュ１１が、図面の左側のユニット１０のケーシング半部１４によって形成されていることが示されている。この場合、ワイヤハーネスコネクタ（図示せず）の輪郭が反転されて、ユニット１０の左側のケーシング半部１４内に成形されている。これによりまずはコストが、さらには付加的に構成スペースが減じられる。何故ならば、図１に示した個々に射出成形によって埋め込まれるアングルコネクタ１はもはや必要ないからである。
【００３４】
ここで使用されるアングルピン装置７は２列に形成されている。ブシュ切欠１１内に配置される差し込み端部５の、ワイヤハーネスコネクタの挿入時に生じるピン軸方向の力による摺動に抗した支持は、外側のピン列１３のためには、図面で右側のケーシング半部１５に一体成形された突起１６によって行われる。しかしながら本発明によれば、図３に示したアングルピンコネクタにおいて、内側のピン列１２にあるアングルピン８も、図２に示した差し込み力による摺動もしくは曲げに抗して保護されている。
【００３５】
このために使用される、内側のピン列１２のアングルピン８のための支持装置の構成は図４及び図５により明らかである。図４及び図５にはそれぞれ、図３において点線で示された切断平面Ａ−Ａの領域が拡大されて示されている。図４及び図５にはまず、それぞれ部分的に、断面された両ケーシング半部１４，１５が示されている。図４では両ケーシング半部１４，１５は、最終的な組み付け前で、まだ所定の寸法だけ互いに離されているが、図５では両ケーシング半部１４，１５はケーシング組み付けの結果、接合されて、従って組み付け状態で存在している。
【００３６】
図４及び図５では見易さのために、アングルピン８は切断平面を貫通する領域で黒く塗られて示されている。図４には、右側のケーシング半部１５に配置されたケーシング支持舌片１７が示されている。このケーシング支持舌片１７は図４では、両ケーシング半部１４，１５の最終的な組み付け前で、まだまっすぐの出発位置及び出発形状にある。さらに、左側のケーシング半部１４に配置された斜めに面取りされた滑動面１８が示されており、この滑動面１８の傾斜角度は、ケーシング支持舌片１７の端面側に同様に設けられた斜め面取部の傾斜角度と一致している。
【００３７】
両ケーシング半部１４，１５が組み合わされると、図５に示された状態になる。右側のケーシング半部１５に配置された支持舌片１７が、左側のケーシング半部１４に設けられたそれぞれ対応する滑動面１８に沿って滑動し、この場合、図面で見て下方に曲げられることがわかる。
【００３８】
このようにして、支持舌片１７が、外側の列１３に配置されたアングルピン８の周りに係合し、支持舌片１７の端面側の端部面が、内側の列１２に配置されたアングルピン８の領域に位置するようになる。従って、内側のピン列１２のアングルピン８は、ケーシング組み付けの際に湾曲される支持舌片１７によって、左側のケーシング半部１４に設けられたそれぞれ対応する凹部に閉じ込められ、これにより、差し込み端部５に作用する差し込み力による、内側の列１２に配置されたアングルピン８の湾曲もしくは摺動はもはや不可能となる。
【００３９】
これにより、外側の列１３に配置されたアングルピン８（図３の突起１６による）も、内側の列１２に配置されたアングルピン８（湾曲された支持舌片１７による）も、効果的に、差し込み力による曲げに抗して保護される。これにより、図３に示しケーシングに組み込まれたアングルコネクタのための、安価でありながら確実な手段が得られる。この場合、本発明による差し込み接続部は、効率と確実性の点で、図１に示したような極めて高価なアングルコネクタに劣らず匹敵するものである。
【００４０】
従って結果として、本発明により提供されるアングルピンコネクタにより、ボードに平行な多極のコネクタ接続部を形成するために、高価なアングルコネクタを使用する必要がない。従って本発明によれば、運転確実なコネクタ接続部を提供すると同時に、著しくコストを削減することができ、従って、例えば自動車のユニット、システム、構成群における、差し込み接続部において高い製品品質を保ちながらコスト削減に大きく貢献している。
【図面の簡単な説明】
【００４１】
【図１】先行技術によるアングルコネクタを概略的に等尺で示した図である。
【図２】先行技術によるアングルピンコネクタを示す図１に対応する図である。
【図３】本発明によるアングルピンコネクタを有するユニットを部分的に断面して示した概略的な等尺の図である。
【図４】図３のＡ−Ａ線に沿った断面図を、ケーシング組み付け前の状態で概略的に示した図である。
【図５】図３のＡ−Ａ線に沿った断面図を、ケーシング組み付け後の状態で概略的に示した図である。
【符号の説明】
【００４２】
１  アングルコネクタ、  ２  コネクタケーシング、  ３  内側輪郭、  ４  回路ボード、  ５  差し込み端部、コネクタピン、  ６  ろう接端部、ろう接ピン、  ７  アングルピン装置、  ８  アングルピン、  ９  組み付け条片、  １０  構成群、ユニット、  １１  切欠、  １２  内側のピン列、  １３  外側のピン列、  １４  ケーシング底部、  １５  ケーシングカバー、  １６  ストッパ面、突起、  １７  支持舌片、  １８  滑動面
【図１】
2009502012.tif 000003
【図２】
2009502012.tif 000004
【図３】
2009502012.tif 000005
【図４】
2009502012.tif 000006
【図５】
2009502012.tif 000007
【国際調査報告】
2009502012.tif 000008
2009502012.tif 000009
2009502012.tif 000010
2009502012.tif 000011